(57)【要約】【課題】  特殊な測定機器を使用せずに、容易に、用紙の両面にそれぞれ出力される画像の寸法ずれ量を取得することができるずれ量取得方法、ずれ量取得装置、およびずれ量取得プログラムを提供する。【解決手段】  所定のパターンを有するパターン画像を用紙上の同じ面上に２度出力し、それらパターン画像が重ねられてなる重畳画像に生じたモアレ縞の本数を取得する。続いて、そのモアレ縞の本数を、画像出力装置や用紙の特性による、両面印刷時における表裏の画像の大きさのずれを表わす寸法ずれ量に換算する。モアレ縞の本数は目視で容易に認識することができるため、画像の寸法ずれ量を測定する特殊な測定機器を必要とせず、簡便に画像の寸法ずれ量を取得することができる。【選択図】        図６
2005074673.tif 000002
【特許請求の範囲】
【請求項１】
用紙の表裏面のうちの第１面に画像を出力する第１のステップを経た後に、該第１面の裏面の第２面に画像を出力する第２のステップを経ることによって、該用紙の両面に画像を出力する画像出力装置によって出力される該第１面の画像と該第２面の画像との寸法ずれ量を取得するずれ量取得方法において、
前記用紙の第１面および第２面のうちの片面に対する画像の出力が前記画像出力装置によって２回実行されることによって、各所定の間隔で繰り返される各繰り返しパターンを有する第１の画像および第２の画像が該片面上に重ねて出力されてなる重畳画像を取得する重畳画像取得過程と、
前記重畳画像取得過程で得られた重畳画像に生じたモアレ縞の本数を数えるモアレ本数取得過程と、
前記モアレ本数取得過程で得られたモアレ縞の本数を、前記重畳画像を構成する前記第１の画像と前記第２の画像との寸法ずれ量に換算するずれ換算過程とを有することを特徴とするずれ量取得方法。
【請求項２】
前記重畳画像取得過程は、互いに異なる間隔で繰り返される各繰り返しパターンを有する第１および第２の画像が前記片面上に重ねて出力されてなる重畳画像を取得する過程であり、
前記ずれ換算過程は、前記モアレ本数取得過程で得られたモアレ縞の本数を、前記第１の画像における繰り返しパターンと前記第２の画像における繰り返しパターンとの間隔の差に基づいて、該第１の画像と該第２の画像との寸法ずれ量に換算する過程であることを特徴とする請求項１記載のずれ量取得方法。
【請求項３】
前記重畳画像取得過程は、前記各繰り返しパターンを構成する色が互いに異なる第１および第２の画像が片面上に重ねて出力されてなる重畳画像を取得する過程であることを特徴とする請求項１記載のずれ量取得方法。
【請求項４】
前記画像出力装置によって、前記第１のステップおよび前記第２ステップで用紙に出力される予定の画像のうち少なくともいずれか一方について、前記ずれ換算過程で得られた寸法ずれ量に応じた寸法補正を施す画像寸法補正過程をさらに有することを特徴とするずれ量取得方法。
【請求項５】
用紙の表裏面のうちの第１面に画像を出力する第１のステップを経た後に、該第１面の裏面の第２面に画像を出力する第２のステップを経ることによって、該用紙の両面に画像を出力する画像出力装置によって出力される該第１面の画像と該第２面の画像との寸法ずれ量を取得するずれ量取得装置において、
各所定の間隔で繰り返される各繰り返しパターンを有する第１の画像および第２の画像を保存するパターン画像保存部と、
前記パターン画像保存部に保存されている第１の画像および第２の画像を前記画像出力装置に向けて出力するパターン画像出力部と、
前記用紙の第１面および第２面のうちの片面に対する画像の出力が前記画像出力装置によって２回実行されることによって、前記第１の画像および前記第２の画像が該片面上に重ねて出力されてなる重畳画像に生じたモアレ縞の本数が換算されてなる、該重畳画像を構成する第１の画像と第２の画像との寸法ずれ量を取得するずれ量取得部とを備えたことを特徴とするずれ量取得装置。
【請求項６】
前記パターン画像保存部は、前記第１の画像および前記第２の画像のうちの少なくともいずれか一方として、前記繰り返しパターンに加えて、前記重畳画像に生じたモアレ縞の本数を前記寸法ずれ量に換算する換算表も有する画像を保存するものであることを特徴とする請求項５記載のずれ量取得装置。
【請求項７】
用紙の表裏面のうちの第１面に画像を出力する第１のステップを経た後に、該第１面の裏面の第２面に画像を出力する第２のステップを経ることによって、該用紙の両面に画像を出力する画像出力装置によって出力される該第１面の画像と該第２面の画像との寸法ずれ量を取得するずれ量取得プログラムにおいて、
各所定の間隔で繰り返される各繰り返しパターンを有する第１の画像および第２の画像を前記画像出力装置に向けて出力するパターン画像出力部と、
前記用紙の第１面および第２面のうちの片面に対する画像の出力が前記画像出力装置によって２回実行されることによって、前記第１の画像および前記第２の画像が該片面上に重ねて出力されてなる重畳画像に生じたモアレ縞の本数が換算されてなる、該重畳画像を構成する第１の画像と第２の画像との寸法ずれ量を取得するずれ量取得部とを備えたことを特徴とするずれ量取得プログラム。
【発明の詳細な説明】
【技術分野】
【０００１】
本発明は、用紙の両面にそれぞれ出力される画像の寸法ずれ量を取得するずれ量取得方法、ずれ量取得装置、および、コンピュータをそのようなずれ量取得装置として動作させるためのずれ量取得プログラムに関する。
【背景技術】
【０００２】
従来より、印刷の分野において、コンピュータを利用して編集作業を行うＤＴＰ（ＤｅｓｋＴｏｐ  Ｐｕｂｌｉｓｈｉｎｇ）システムが広範に適用されている。ＤＴＰシステムによると、オペレータが編集用ソフトウェア（ＤＴＰアプリケーション）を使って画像や文字などの編集を行い、表示画面などで印刷物のイメージを確認してから、画像等をプリンタやイメージセッタなどで印刷・製版することができる。
【０００３】
ところで、従来から、用紙の両面に画像を出力する、いわゆる両面印刷が広く行われている。両面印刷力用の画像出力装置としては、用紙の両面に同時に画像を出力する両面同時型のものや、用紙の表面に画像を出力した後に、用紙の裏面に画像を出力する片面逐一型のものなどが知られている。また、冊子や名刺などのように複数枚の印刷物を作成する際には、上述したＤＴＰアプリケーションを用いて、一枚の大きな用紙上に複数の画像が配置されたレイアウトを編集し、そのようなレイアウトに従って画像が出力された用紙を仕上がりサイズに合わせて断裁することが行われている。
【０００４】
ここで、縁取りが施された両面印刷の名刺などを作成する際に、表面と裏面とで画像がずれていると、片面上の画像に合わせて用紙を断裁したときに、もう片面上では縁が欠けてしまうなどという不具合が生じる恐れがある。通常は、表面と裏面の画像の位置が合うようにレイアウトが編集されるが、画像出力装置の癖などによって、実際に画像が出力される位置が、レイアウト上で画像が配置されている位置から微妙にずれてしまうことがある。このような不具合を未然に防ぐため、画像出力装置の癖等の特性を考慮して、レイアウト上では画像を所望の書き出し位置からあえてずらして配置しておくことによって、実際に画像が出力されるときのオフセット（書き出し位置のずれ）を補正するオフセット調整が知られている（例えば、特許文献１、特許文献２参照）。
【特許文献１】特開２０００−１２７５４９号公報
【特許文献２】特開平１０−３５６５９４号公報
【発明の開示】
【発明が解決しようとする課題】
【０００５】
しかし、電子写真方式や昇華熱転写方式を採用した画像出力装置においては、画像を用紙上に形成する際に、用紙に熱や圧力が印加されるために用紙が変形してしまうことがあり、特に、上述した片面逐一型の画像出力装置で両面出力が行われる際には、表面の画像が出力された後、そのように変形をきたした状態で裏面の画像が出力される。このため、用紙の表裏に同じ大きさの画像を出力する場合であっても、結果として、表裏それぞれに出力された画像の大きさが相互に異なってしまい、上述したオフセット調整だけでは、それらの画像のずれを防ぐことができないという問題がある。
【０００６】
表裏それぞれに出力される画像の大きさを合わせる方法として、用紙の表面と裏面に同じ大きさのサンプル画像をそれぞれ出力し、各サンプル画像の寸法を測定することによって寸法ずれ量を算出しておき、実際に所望の画像を出力する際には、その寸法ずれ量に基づいて大きさが補正された画像を出力する方法が考えられる。
【０００７】
しかしながら、例えば電子写真方式の画像出力装置における表裏の画像の寸法ずれ量は数百ミクロンのオーダーであり、これを測定するためにはガラススケール等といった特殊な測定装置が必要となる。したがって、表裏に出力される画像の寸法を直接測定して、それらの画像の寸法ずれ量を算出する方法は、汎用性に乏しいという問題がある。この寸法ずれ量は、使用される用紙の種別や、画像出力装置の特性などによって様々に異なるため、ユーザが簡便に寸法ずれ量を取得することができるずれ量取得方法の開発が求められている。
【０００８】
本発明は、上記事情に鑑み、特殊な測定機器を使用せずに容易に画像の寸法ずれ量を取得することができるずれ量取得方法、ずれ量取得装置、およびずれ量取得プログラムを提供することを目的とする。
【課題を解決するための手段】
【０００９】
上記目的を達成する本発明のずれ量取得方法は、用紙の表裏面のうちの第１面に画像を出力する第１のステップを経た後に、第１面の裏面の第２面に画像を出力する第２のステップを経ることによって、用紙の両面に画像を出力する画像出力装置によって出力される第１面の画像と第２面の画像との寸法ずれ量を取得するずれ量取得方法において、
用紙の第１面および第２面のうちの片面に対する画像の出力が前記画像出力装置によって２回実行されることによって、各所定の間隔で繰り返される各繰り返しパターンを有する第１の画像および第２の画像が片面上に重ねて出力されてなる重畳画像を取得する重畳画像取得過程と、
重畳画像取得過程で得られた重畳画像に生じたモアレ縞の本数を数えるモアレ本数取得過程と、
モアレ本数取得過程で得られたモアレ縞の本数を、重畳画像を構成する第１の画像と第２の画像との寸法ずれ量に換算するずれ換算過程とを有することを特徴とする。
【００１０】
例えば、電子写真方式の画像出力装置では、画像が出力される際に用紙に熱や圧力が付与されるため、用紙が変形してしまう。したがって、このような画像出力装置で両面出力を行うと、用紙の表面に画像が形成されて用紙が変形してしまった状態で、裏面に画像が形成されるため、表面と裏面それぞれに出力される画像に寸法ずれが生じる。
【００１１】
このような画像出力装置で、所定間隔で繰り返される繰り返しパターンを有する第１の画像を用紙の片面に出力し、その後さらに、同様の繰り返しパターンを有する第２の画像を同じ面上に重ねて出力すると、２つの画像の微妙なずれによって、それらの画像が重ねられてなる重畳画像にモアレ縞が生じる。
【００１２】
本発明のずれ量取得方法によると、上記のようにして得られた重畳画像に生じたモアレ縞の本数を数え、例えば、予め用意されている換算表等を使って、モアレ縞の本数を第１の画像と第２の画像との寸法ずれ量に換算する。重畳画像に生じたモアレ縞の本数は目視で容易に認識することができるため、本発明のずれ量取得方法によると、画像の寸法を精密に測定する特殊な測定機器を必要とせず、簡便に画像の寸法ずれ量を取得することができる。
【００１３】
また、本発明のずれ量取得方法において、上記の重畳画像取得過程は、互いに異なる間隔で繰り返される各繰り返しパターンを有する第１および第２の画像が片面上に重ねて出力されてなる重畳画像を取得する過程であり、
上記のずれ換算過程は、モアレ本数取得過程で得られたモアレ縞の本数を、第１の画像における繰り返しパターンと第２の画像における繰り返しパターンとの間隔の差に基づいて、第１の画像と第２の画像との寸法ずれ量に換算する過程であることが好ましい。
【００１４】
第１の画像と第２の画像との寸法ずれ量が小さく、モアレ縞の本数が少ない場合には、モアレ縞の幅が広がっているためにその本数を数えることが困難である。したがって、互いに異なる間隔で繰り返される各繰り返しパターンを有する第１の画像と第２の画像とを用いて、意図的にそれらの繰り返しパターンの間隔の差を増加させることによって、モアレ縞の本数が増加して数えやすくなり、より精度よく画像の寸法ずれ量を取得することができる。
【００１５】
また、本発明のずれ量取得方法において、上記の重畳画像取得過程は、各繰り返しパターンを構成する色が互いに異なる第１および第２の画像が片面上に重ねて出力されてなる重畳画像を取得する過程であることも好適である。
【００１６】
第１および第２の画像を構成する色を相互に変えることによって、繰り返しパターンだけでなく色味も干渉しあうため、重畳画像に生じるモアレが認識しやすい。
【００１７】
また、本発明のずれ量取得方法において、画像出力装置によって、第１のステップおよび第２ステップで用紙に出力される予定の画像のうち少なくともいずれか一方について、ずれ換算過程で得られた寸法ずれ量に応じた寸法補正を施す画像寸法補正過程をさらに有することも好適である。
【００１８】
画像出力装置で両面出力を行う際には、上述した一連の方法で寸法ずれ量を取得して、その寸法ずれ量に基づいて、用紙の表面に出力される予定の画像と裏面に出力される予定の画像との寸法ずれを補正してから、画像を画像出力装置で出力する。このように両面出力を行うことにより、用紙の表裏面に出力される画像の寸法ずれを容易に補正することができる。
【００１９】
また、上記目的を達成する本発明のずれ量取得装置は、用紙の表裏面のうちの第１面に画像を出力する第１のステップを経た後に、第１面の裏面の第２面に画像を出力する第２のステップを経ることによって、用紙の両面に画像を出力する画像出力装置によって出力される第１面の画像と第２面の画像との寸法ずれ量を取得するずれ量取得装置において、
各所定の間隔で繰り返される各繰り返しパターンを有する第１の画像および第２の画像を保存するパターン画像保存部と、
パターン画像保存部に保存されている第１の画像および第２の画像を画像出力装置に向けて出力するパターン画像出力部と、
用紙の第１面および第２面のうちの片面に対する画像の出力が画像出力装置によって２回実行されることによって、第１の画像および第２の画像が片面上に重ねて出力されてなる重畳画像に生じたモアレ縞の本数が換算されてなる、重畳画像を構成する第１の画像と第２の画像との寸法ずれ量を取得するずれ量取得部とを備えたことを特徴とする。
【００２０】
本発明のずれ量取得装置によると、重畳画像が生成されて、その重畳画像に生じたモアレ縞の本数を基に換算された寸法ずれ量が取得される。したがって、精密に寸法を測定するための特殊な測定器を必要とせず、容易に、用紙の表裏で出力される画像の寸法ずれ量を取得することができる。
【００２１】
また、本発明のずれ量取得装置において、上記のパターン画像保存部は、第１の画像および第２の画像のうちの少なくともいずれか一方として、繰り返しパターンに加えて、重畳画像に生じたモアレ縞の本数を寸法ずれ量に換算する換算表も有する画像を保存するものであってもよい。
【００２２】
繰り返しパターンと換算表とを含む画像を保存することにより、その換算表が重畳画像と一緒に用紙上に出力されるため、モアレ縞の本数を寸法ずれ量に換算する算式を知らないオペレータでも、容易にモアレ縞の本数を寸法ずれ量に換算することができる。また、繰り返しパターンを変更するときには、画像中の換算表も合わせて変更すればよく、更新が容易であるという利点もある。
【００２３】
また、上記目的を達成する本発明のずれ量取得プログラムは、用紙の表裏面のうちの第１面に画像を出力する第１のステップを経た後に、第１面の裏面の第２面に画像を出力する第２のステップを経ることによって、用紙の両面に画像を出力する画像出力装置によって出力される第１面の画像と第２面の画像との寸法ずれ量を取得するずれ量取得プログラムにおいて、
各所定の間隔で繰り返される各繰り返しパターンを有する第１の画像および第２の画像を画像出力装置に向けて出力するパターン画像出力部と、
用紙の第１面および第２面のうちの片面に対する画像の出力が画像出力装置によって２回実行されることによって、第１の画像および第２の画像が片面上に重ねて出力されてなる重畳画像に生じたモアレ縞の本数が換算されてなる、重畳画像を構成する第１の画像と第２の画像との寸法ずれ量を取得するずれ量取得部とを備えたことを特徴とする。
【００２４】
本発明のずれ量取得プログラムをコンピュータ内で実行させることによって、そのコンピュータを上記のようなずれ量取得装置として動作させることができる。
【００２５】
尚、本発明にいうずれ量取得装置やずれ量取得プログラムについては、ここではその基本形態のみを示すのにとどめるが、これは単に重複を避けるためであり、本発明にいうずれ量取得装置やずれ量取得プログラムには、上記の基本形態のみではなく、前述したずれ量取得方法の各形態に対応する各種の形態が含まれる。
【００２６】
また、上記本発明のずれ量取得装置と、上記ずれ量取得プログラムとでは、それらを構成する構成要素名として、パターン画像保存部やずれ量取得部といった互いに同一の名称を付しているが、ずれ量取得プログラムの場合は、そのような作用をなすソフトウェアを指し、ずれ量取得装置の場合は、ハードウェアを含んだものを指している。
【発明の効果】
【００２７】
本発明によれば、特殊な測定機器を使用せずに、容易に画像の寸法ずれ量を取得することができるずれ量取得方法、ずれ量取得装置、およびずれ量取得プログラムを提供することができる。
【発明を実施するための最良の形態】
【００２８】
以下、本発明の実施形態について説明する。
【００２９】
図１は、本発明の一実施形態が適用された画像補正システムの全体構成図である。
【００３０】
ここには、編集用ワークステーション１０１，１０２，１０３と、情報処理装置２００と、プリンタ３００とが示されている。
【００３１】
編集用ワークステーション１０１，１０２，１０３では、編集用ソフトウェア（ＤＴＰアプリケーション）が用いられ、画像を構成する、絵柄、テキスト、および線画等のレイアウトを決める編集作業が行われる。その結果、ＰＳ（Ｐｏｓｔ  Ｓｃｒｉｐｔ）データやＰＤＦ（Ｐｏｒｔａｂｌｅ  Ｄｏｃｕｍｅｎｔ  Ｆｏｒｍａｔ）データなどといったページ記述データが生成され、生成されたページ記述データが情報処理装置２００に出力される。
【００３２】
情報処理装置２００には、本発明のずれ量取得装置の一実施形態が組み込まれている。情報処理装置２００では、編集用ワークステーション１０１，１０２，１０３から送られてきたページ記述データに、そのページ記述データが表わす画像の大きさや色を補正する各種の画像補正処理が施される。また、このページ記述データは、このままではプリンタ３００で出力することができないため、情報処理装置２００は、ページ記述データをプリンタ３００に適した画像出力用のラスタデータに変換し、ラスタデータをプリンタ３００に送る。
【００３３】
プリンタ３００は、情報処理装置２００から送られてきたラスタデータが表わす画像を指定された用紙の両面あるいは片面に出力する。ここで、本実施形態において、プリンタ３００は、用紙に熱や圧力を印加しながら画像を形成する電子写真方式が採用されたプリンタであり、さらに、用紙の表面に画像を出力した後に、裏面に画像を出力することによって、用紙の両面に画像を出力する片面逐一型のプリンタである。したがって、仮に情報処理装置２００における画像補正処理を介さずに、用紙の両面に画像をそれぞれ出力しようとすると、表面に画像を出力する際に用紙が変形し、その状態で裏面に画像が出力されるため、表面と裏面の画像の大きさや書き出し位置がずれてしまうという不具合が生じる。このような不具合を未然に防ぐため、本実施形態では、情報処理装置２００に備えられた画像補正装置（後述する）において、表面に出力される表用画像に合わせて、裏用画像の大きさと書き出し位置を補正する処理が行われる。
【００３４】
図２は、図１に示す画像補正システムにおけるデータの流れを示す図である。
【００３５】
図２に示すように、情報処理装置２００には、入力装置２０１、ＰＤＦ加工装置２０２、ＲＩＰ（Ｒａｓｔｅｒ  Ｉｍａｇｅ  Ｐｒｏｃｅｓｓｏｒ）２０３、および出力装置２０４それぞれとしての機能が備えられており、さらに、ＰＤＦ加工装置２０２には、ＰＳ／ＰＤＦ変換装置２０２＿１、ＣＭＳ（Ｃｏｌｏｒ  Ｍａｎａｇｅｍｅｎｔ  Ｓｙｓｔｅｍ）処理装置２０２＿２、トラップ処理装置２０２＿３、フォント埋込装置２０２＿４、エラーチェック装置２０２＿６、および、本発明のずれ量取得装置の一実施形態である画像補正装置２０２＿５それぞれとしての機能が備えられている。
【００３６】
入力装置２０１には、図１にも示す編集用ワークステーション１０１，１０２，１０３から、ファイルＡを構成するページ記述データ（ＰＳデータやＰＤＦデータ）が入力され、ＰＳデータはファイルＢとして、ＰＤＦデータはファイルＣとしてそれぞれ保存される。これらのファイルＢ，Ｃは、ＲＩＰ２０３で直接ラスタデータに変換されたり、あるいは、ファイルＢのＰＳデータは、ＰＳ／ＰＤＳ変換装置２０２＿１でＰＤＦデータに変換されて、ファイルＤとして保存される。さらに、ファイルＣ，ＤのＰＤＦデータには、ＣＭＳ処理装置２０２＿２でＩＣＣプロファイルＧに基づいて色変換処理が施され、続いて、トラップ処理装置２０２＿３で色ずれを調整するトラップ処理が施され、さらに、フォント埋込装置２０２＿４で文字をＰＦＤデータに埋め込むフォント埋め込み処理が施される。
【００３７】
画像補正装置２０２＿５では、画像のサイズ補正量や位置補正量などを含む調整パラメータ群Ｈに基づいて、ＰＤＦデータに、画像の大きさや配置される位置を補正する画像補正処理が施される。画像補正処理が施されたＰＤＦデータには、エラーチェック装置２０２＿６でエラーチェックが施される。
【００３８】
エラーチェックが施されたＰＤＦデータは、ファイルＥとして保存されたり、ファイルＦとして外部に出力される。また、例えば、編集用ワークステーション１０１，１０２，１０３などの外部装置にインストールされているＰＤＦアプリケーションを使って、ファイルＥに対して、プレビュー（表示）、エディット（編集）、およびトラップの指定などといった各処理を行うことができる。さらに、ファイルＥとして保存されたＰＤＦデータは、ＲＩＰ２０３でラスタデータに変換され、出力装置２０４を介してプリンタ３００に出力される。
【００３９】
ここで、図１および図２に示す画像補正システムにおける、本発明の一実施形態としての特徴は、情報処理装置２００の画像補正装置２０２＿５で実行される処理内容にある。まずは、情報処理装置２００の内部構造について説明する。
【００４０】
図３は、図１および図２に１つのブロックで示す情報処理装置２００のハードウェア構成図である。
【００４１】
この情報処理装置２００の内部には、図３に示すように、各種プログラムを実行するＣＰＵ２１１、ハードディスク装置２１３に格納されたプログラムが読み出されＣＰＵ２１１での実行のために展開される主メモリ２１２、各種プログラムやデータ等が保存されたハードディスク装置２１３、表示画面上に画像を表示する画像表示装置２１４、編集用ワークステーション１０１，１０２，１０３（図１および図２参照）と接続されてページ記述データを受け取る入力インタフェース２１５、キー操作に応じた各種の情報を入力するキーボード２１６、表示画面上の任意の位置を指定することにより、その位置に表示されたアイコン等に応じた指示を入力するマウス２１７、フレキシブルディスク（以下、ＦＤと称する）４００が装填されその装填されたＦＤ４００をアクセスするＦＤドライブ２１８、ＣＤ−ＲＯＭ４１０が装填され、その装填されたＣＤ−ＲＯＭ４１０をアクセスするＣＤ−ＲＯＭドライブ２１９、プリンタ３００にラスタデータを送る出力インタフェース２２０が内蔵されており、これらの各種要素は、バス２２１を介して相互に接続されている。
【００４２】
ここで、ＣＤ−ＲＯＭ４１０には、本発明のずれ量取得プログラムの一実施形態が適用され、図２に示す情報処理装置２００の画像補正装置２０２＿５を本発明のずれ量取得装置の一実施形態として動作させるための画像補正プログラムが記憶されている。そのＣＤ−ＲＯＭ４１０はＣＤ−ＲＯＭドライブ２１９に装填され、そのＣＤ−ＲＯＭ４１０に記憶された画像補正プログラムがこの情報処理装置２００にアップロードされてハードディスク装置２１３に記憶される。そして、この画像補正プログラムが起動されて実行されることにより、情報処理装置２００の画像補正装置２０２＿５は、本発明のずれ量取得装置の一実施形態として動作する。
【００４３】
次に、この情報処理装置２００内で実行される画像補正プログラムについて説明する。
【００４４】
図４は、本発明のずれ量取得プログラムの一実施形態が記憶されたＣＤ−ＲＯＭを示す概念図である。
【００４５】
画像補正プログラム５００は、パターン画像出力部５１０、補正量取得部５２０、および画像寸法補正部５３０で構成されている。ここで、パターン画像出力部５１０は、本発明のずれ量取得プログラムにおけるパターン画像出力部の一例に相当し、同様に、補正量取得部５２０はずれ量取得部の一例、および画像寸法補正部５３０は画像寸法補正部の一例にそれぞれ相当する。画像補正プログラム５００の各部の詳細については、本発明のずれ量取得装置の一実施形態である画像補正装置２０２＿５の各部の作用と一緒に説明する。
【００４６】
図５は、この画像補正プログラム５００を図１〜図３に示す情報処理装置２００にインストールし、画像補正装置２０２＿５を本発明のずれ量取得装置の一実施形態として動作させるときの画像補正装置２０２＿５の機能ブロック図である。
【００４７】
図５に示す画像補正装置２０２＿５は、パターン画像保存部６１０、パターン画像出力部６２０、補正量取得部６３０、および画像寸法補正部６４０を備えている。図５に示す画像補正プログラム５００を図１〜図３に示す情報処理装置２００にインストールすると、画像補正プログラム５００のパターン画像出力部５１０はパターン画像出力部６２０を構成し、同様に、補正量取得部５２０は補正量取得部６３０を構成し、画像寸法補正部５３０は画像寸法補正部６４０を構成する。
【００４８】
パターン画像保存部６１０は、図３に示すハードディスク装置２１３がその役割を担う。パターン画像保存部６１０は、所定間隔で繰り返される繰り返しパターンと換算表（後述する）とで構成されるパターン画像を表わすパターンデータを記憶する。このパターン画像保存部６１０は、本発明のずれ量取得装置におけるパターン画像保存部の一例に相当する。
【００４９】
パターン画像出力部６２０は、図示しない指示部から、重畳画像を出力する指示を受けると、パターン画像保存部６１０に保存されているパターンデータを取得する。さらに、パターン画像出力部６２０は、取得したパターンデータをプリンタ３００に向けて出力し、プリンタ３００の片面出力機能（用紙の片面に画像を出力する機能）を使ってパターン画像を用紙上に出力させる。パターン画像が出力された用紙は、パターン画像が出力された面にさらに画像が出力されるように、オペレータによって、プリンタ３００に再セットされる。パターン画像出力部６２０は、再セットされた用紙上にさらにパターン画像を出力させ、２つのパターン画像が用紙の同じ面上に重ねられてなる重畳画像７１０を生成させる。１回目に出力されたパターン画像は本発明にいう第１の画像の一例にあたり、２回目に出力されたパターン画像は本発明にいう第２の画像の一例にあたり、重畳画像７１０は本発明にいう重畳画像の一例に相当する。このパターン画像出力部６２０は、本発明のずれ量取得装置におけるパターン画像出力部の一例にあたる。
【００５０】
ところで、プリンタ３００は、上述したように、画像を出力する際に用紙に熱と圧力が印加される電子写真方式が採用されたプリンタである。したがって、上記のように重畳画像７１０を生成すると、１番目のパターン画像が出力されて用紙が変形をきたした状態で２番目のパターン画像が出力されるため、それぞれの繰り返しパターンの間隔が微妙にずれて、それらが相互に干渉して重畳画像７１０にモアレ縞が生じる。パターン画像保存部６１０で保存されているパターン画像には、重畳画像７１０に生じるモアレ縞の本数を、２番目のパターン画像の寸法を１番目のパターン画像の寸法に合わせて補正するときのサイズ補正量に換算するための換算表が含まれている。ここで、換算表に示されたサイズ補正量は、１番目のパターン画像と２番目のパターン画像との寸法ずれ量と裏表の関係（符号が逆）にあり、本実施形態においては、寸法ずれ量がサイズ補正量として示されている。この換算表は、本発明にいう換算表の一例に相当する。
【００５１】
また、図３に示すハードディスク装置２１３には、目盛りがふられたチャートを表わすチャートデータも記憶されている。チャートデータは後述する画像寸法補正部６４０に送られ、プリンタ３００の両面出力機能（用紙の両面に画像を出力する機能）によって、用紙の両面にチャート画像７２０として出力される。
【００５２】
オペレータは、チャート画像７２０の表裏面それぞれに出力されたチャートの書き出し位置のずれを、後述する所定の手順に従って測定するとともに、重畳画像７１０に生じているモアレ縞の本数を数え、パターン画像に含まれた換算表を使って、モアレ縞の本数をサイズ補正量に換算する。さらに、測定した書き出し位置のずれを補正する位置補正量、および換算したサイズ補正量を、予め用意されている設定画面にマウス２１７等を使って入力する。オペレータによって入力された各種パラメータは、調整パラメータ群Ｈとして保存される。
【００５３】
補正量取得部６３０は、調整パラメータ群Ｈとして保存されている各種パラメータのうち、位置補正量とサイズ補正量を取得する。この補正量取得部６３０は、本発明のずれ量取得装置におけるずれ量取得部の一例に相当する。
【００５４】
画像寸法補正部６４０には、図２に示すワークステーション１０１，１０２，１０３から入力されて、ＣＭＳ処理装置２０２＿２における色変換処理、トラップ処理装置２０２＿３におけるトラップ処理、およびフォント埋込装置２０２＿４における文字の埋め込みなどが施された、用紙の表面と裏面にそれぞれ出力される表用画像および裏用画像を表わす表用データおよび裏用データや、図３に示すハードディスク装置２１３に記憶されたチャートデータが送られてくる。画像寸法補正部６４０は、裏用データやチャートデータに、裏面に出力される画像の大きさを補正量取得部６３０で取得されたサイズ補正量に基づいて補正する補正処理と、裏面に出力される画像の書き出し位置を位置補正量に基づいて補正する補正処理を施す。この画像寸法補正部６４０は、本発明のずれ量取得装置における画像寸法補正部の一例に相当する。表用データや、補正処理が施された裏用データおよびチャートデータ（図５に示す補正後データ）は、エラーチェック装置２０２＿６に送られる。
【００５５】
画像補正装置２０２＿５は、基本的には以上のように構成されている。
【００５６】
図６は、用紙の両面に出力される画像の寸法ずれと書き出しの位置ずれを補正する際の、オペレータが行う一連の作業手順を示すフローチャートである。以下では、このフローチャートを使って、本発明のずれ量取得方法の一実施形態を適用して、用紙の両面に画像を出力する一連の処理について説明する。
【００５７】
まず、オペレータは、図４に示す画像補正プログラム５００によって提供される設定画面に従って、図５に示す重畳画像７１０、およびチャート画像７２０を出力するための各種パラーメータを設定する（図６のステップＳ１）。
【００５８】
図７は、図１に示す情報処理装置２００の表示画面に表示された設定画面を示す図である。
【００５９】
設定画面８００には、図７（Ａ）に示すように、画像の出力枚数を設定するためのコピー部数設定部８１０、片面／両面印刷などのような出力形式を設定するための印刷パターン設定部８２０、表面および裏面それぞれのページの向きを設定するためのページ方向設定部８３０、複数のページからなる一連の画像データが送られてきたときに出力するページを設定するための印刷範囲設定部８４０、画像の形成に用いられるトナーの色を設定するための印刷色版設定部８５０、用紙のサイズを設定するための用紙設定部８６０、および印刷モード設定部８７０とが備えられており、さらに、設定内容を確定するＯＫボタン８８１と、設定内容を中止するキャンセルボタン８８２とが備えられている。印刷モード設定部８７０には、さらに、ページ記述データ（ＰＳデータやＰＦＤデータ）に含まれる、画像や線画オブジェクトのうち用紙上に出力するオブジェクトを指定する印刷対象設定部８７１と、裏面倍率／位置補正ボタン８７２とが備えられている。
【００６０】
裏面倍率／位置補正ボタン８７２をマウス２１７等で選択すると、図７（Ｂ）に示すようなポップアップ画面８７３が表示される。ポップアップ画面８７３には、用紙の裏面に出力される裏用画像の書き出し位置を、表用画像の書き出し位置に合わせた所定の出力位置からどの程度ずらすかを設定するオフセットずらし量設定部８７４と、重畳画像７２０に生じたモアレ縞の本数が換算表に基づいて換算されたサイズ補正量を設定するサイズ補正量設定部８７５とが備えられている。
【００６１】
オペレータは、図７（Ａ）の、「コピー部数設定部８１０」でコピー部数を１０枚に設定し、「印刷パターン設定部８２０」で片面印刷を行う第１の選択番号を設定し、それ以外は初期状態のままにしておく。
【００６２】
さらに、裏面倍率／位置補正ボタン８７２を選択して、図７（Ｂ）の「オフセットずらし量設定部８７４」で主走査方向および副走査方向とも０．００ｍｍが設定され、「サイズ補正量設定部８７５」で主走査パターンおよび副走査パターンとも０％が設定された初期状態であることを確認する。「オフセットずらし量設定部８７４」で主走査方向および副走査方向とも０．００ｍｍとは、オフセット補正を行わずに裏面上の所定の書き出し位置に裏用画像を出力することを示し、「サイズ補正量設定部８７５」で主走査パターンおよび副走査パターンともサイズ補正量を０％とは、裏用画像の大きさを補正せずにそのまま出力することを示す。このように各種パラメータが設定された場合、本来ならば、例えば表用画像と同じ大きさの裏用画像を出力するときに、表用画像が出力された位置に合わせた裏面上の位置に、表用画像と同じ大きさの裏用画像が出力された用紙が作成されるはずであるが、表用画像が形成される際に用紙が変形されるため、実際には、裏用画像の大きさが表用画像とは異なってしまううえ、裏用画像の書き出し位置もずれてしまう。しかし、まずはこのままで、図７（Ａ）のＯＫボタン８８１を選択する。
【００６３】
このとき、図２に示す情報処理装置２００の内部では、図７（Ａ）の設定画面８００を使って設定された各種パラメータが調整パラメータ群Ｈとして保存されるとともに、それら各種パラメータがＲＩＰ２０３に送られる。
【００６４】
続いて、オペレータは、プリンタ３００に用紙をセットし、さらに、マウス２１７等で図示しない重畳画像出力ボタンを選択する（図６のステップＳ２）。
【００６５】
このとき、図５に示すパターン画像出力部６２０では、パターン画像保存部６１０に保存されているパターンデータが取得され、そのパターンデータがエラーチェック装置２０２＿６でのエラーチェックを経てＲＩＰ２０３に送られる。ＲＩＰ２０３では、パターンデータがラスタデータに変換され、パターンラスタデータが生成される。生成されたパターンラスタデータは、プリンタ３００に送られて、用紙の表面にパターンラスタデータに基づくパターン画像が出力される。
【００６６】
図８は、用紙上に出力されたパターン画像を示す図である。以下では、用紙がプリンタ３００に送られる方向を副走査方向と称し、副走査方向に対して９０度回転された方向を主走査方向と称す。
【００６７】
パターン画像７１１は、主走査方向に延びる複数の直線が副走査方向へ所定間隔に並べられてなる主走査パターン７１２と、その主走査パターン７１２によって形成されるモアレ縞の本数をサイズ補正量に換算するための換算表７１２＿２と、副走査方向に延びる複数の直線が主走査方向へ所定間隔に並べられてなる副走査パターン７１３と、副走査パターン７１３用の換算表７１３＿２とで構成されている。この例では、主走査パターン７１２は、（直線の間隔，パターン長）＝（０．１２６ｍｍ，２８０ｍｍ）で構成されており、副走査パターン７１３は、（直線の間隔，パターン長）＝（０．１０８ｍｍ，３００ｍｍ）で構成されているものとする。このとき、換算表７１２＿２，７１３＿２によると、モアレ本数は、
サイズ補正量＝−１×モアレ本数×直線の間隔／パターン長  …式（１）
の式で算出されるサイズ補正量に換算される。
【００６８】
続いて、オペレータは、表面にパターン画像７１１が出力された用紙を、再び表面に画像が出力されるようにプリンタ３００にセットしなおす（図６のステップＳ３）。
【００６９】
このとき、図５に示すパターン画像出力部６２０では、ステップＳ２の場合と同様な処理が行われ、パターンデータがエラーチェック装置２０２＿６を経てＲＩＰ２０３に送られる。ＲＩＰ２０３で生成されたパターンラスタデータは、プリンタ３００に送られて、用紙の表面の、１回目にパターン画像７１１が出力された面と同じ表面上に、パターン画像が重ねて出力される。ステップＳ２およびステップＳ３によって、重畳画像７１０を得る一連の処理は、本発明のずれ量取得方法における重畳画像取得過程の一例に相当する。
【００７０】
ここで、１回目に出力されたパターン画像と２回目に出力されたパターン画像とでは、上述したような用紙の変形によって大きさが微妙に異なっているため、重畳画像７１０にはモアレが生じる。
【００７１】
続いて、オペレータは、ステップＳ１とステップＳ２によって生成された重畳画像７１０に生じている、主走査パターンおよび副走査パターンのモアレ縞の本数をそれぞれ数える（図６のステップＳ４）。本実施形態においては、図７（Ａ）のコピー部数設定部８１０でコピー部数が１０枚に設定されているため、重畳画像７１０は１０枚生成されている。ここでは、プリンタ３００の処理が安定する１０枚目の重畳画像７１０におけるモアレ縞の本数が数えられる。このステップＳ４におけるモアレ縞の本数を取得する過程は、本発明のずれ量取得方法におけるモアレ本数取得過程の一例に相当する。
【００７２】
モアレ縞の本数を数えると、オペレータは、図８に示す換算表７１２＿２，７１３＿２を使って、モアレ縞の本数をサイズ補正量に換算し（図６のステップＳ５）、それらのサイズ補正量を図７（Ｂ）のサイズ補正量設定部８７５に入力する。例えば、主走査パターン７１２および副走査パターン７１３に生じたモアレ本数がそれぞれ４本であったとすると、換算表７１２＿２から主走査パターンのサイズ補正量（副走査方向へのサイズ補正量）は−０．１８％となり、換算表７１３＿２から副走査パターンのサイズ補正量（主走査方向へのサイズ補正量）は−０．１４４％となる。このモアレ縞の本数を寸法ずれ量（本実施形態においてはサイズ補正量）に換算するステップＳ５の過程は、本発明のずれ量取得方法におけるずれ換算過程の一例に相当する。
【００７３】
続いて、オペレータは、図７（Ｂ）の「オフセットずらし量設定部８７４」で主走査方向および副走査方向とも０．００ｍｍが設定されていることを確認する。さらに、図７（Ａ）の設定画面８００を使って、「印刷パターン設定部８２０」で両面印刷を行う第５の選択番号を設定し、「ページ方向設定部８３０」で表裏の印刷向きを揃える天と天が設定されていることを確認する。
【００７４】
このとき、図５に示す画像補正装置２０２＿５の内部では、調整パラメータ群Ｈが更新されるとともに、図７（Ｂ）のポップアップ画面８７３を使って更新されたサイズ補正量が、図５に示す補正量取得部６３０に送られる。
【００７５】
さらに、オペレータは、マウス２１７等で図示しないチャート画像出力ボタンを選択し、チャート画像の出力を指示する（図６のステップＳ６）。
【００７６】
このとき、図５に示す画像補正装置２０２＿５の画像寸法補正部６４０では、予め記憶されているチャートデータが取得される。画像寸法補正部６４０では、チャートデータに、チャートの大きさを補正量取得部６３０で取得されたサイズ補正量に基づいて補正する画像補正処理が施され、補正前のチャートデータと補正後のチャートデータがエラーチェック装置２０２＿６を経てＲＩＰ２０３に送られる。この例では、用紙の裏面に出力される予定のチャートが主走査方向に−０．１４４％（サイズ補正量設定部８７５の「副走査パターン」で設定されたサイズ補正量）、副走査方向に−０．１８％（サイズ補正量設定部８７５の「主走査パターン」で設定されたサイズ補正量）の補正量で補正される。この補正後のチャートデータを生成する処理は、本発明のずれ量取得方法における画像寸法補正過程の一例にあたる。
【００７７】
ＲＩＰ２０３は、補正前のチャートデータおよび補正後のチャートデータにラスタライズ処理を施し、それら補正前チャートデータおよび補正後チャートデータをプリンタ３００に送る。プリンタ３００では、用紙の表面に補正前チャートデータに基づくチャートが出力され、裏面に補正後チャートデータに基づく補正後チャートが出力されたチャート画像７２０が生成される。
【００７８】
図９（Ａ）は、チャート画像７２０の表面に出力されたチャート７２１を示しており、図９（Ｂ）は、図９（Ａ）の点線で囲まれた書き出し部分７２１＿１を拡大した図を示している。上述した用紙の変形による表裏の画像の寸法ずれが補正されたため、チャート画像７２０の裏面には、チャート７２１と同じ大きさの補正後チャートが出力されている。また、図７（Ｂ）のオフセットずらし量設定部８７４でオフセットずらし量を０ｍｍに設定しているため、本来ならば、表面のチャート７２１と裏面の補正後チャートの書き出し位置はぴったり合っているはずである。しかし、プリンタ３００の癖などによって、表面のチャート７２１と裏面の補正後チャートの書き出し位置がずれてしまう恐れがある。
【００７９】
オペレータは、チャート画像７２０の表面に出力されたチャート７２１の、図７（Ｂ）に示す書き出し部分７２１＿１の点Ｏに針等で穴を空ける。
【００８０】
図１０は、チャート画像の裏面に出力された補正後チャートのうち、図９（Ｂ）の書き出し部分に対応する部分の拡大図である。補正後チャートの書き出し位置７２２＿１上の点Ｏ´は、図９（Ｂ）の点Ｏに対応する点であり、穴Ｏは、オペレータによって点Ｏ上に空けられた穴を示す。本来は、点Ｏ´と穴Ｏとは重なるはずであるが、表面のチャート７２１の書き出し位置７２１＿１と、裏面の補正後チャートの書き出し位置７２２＿１とがずれてしまっているため、それらは重なっていない。
【００８１】
オペレータは、補正後チャート上の点Ｏ´と穴Ｏとのずれを、出力された目盛りを使って測定する（図６のステップＳ７）。この例では、１目盛りを０．１ｍｍとし、右上をプラス，左下をマイナスとすると、穴Ｏは、（ｈ：主走査方向，ｗ：副走査方向）＝（−０．６ｍｍ，０．８ｍｍ）となる。
【００８２】
オペレータは、図７（Ｂ）のオフセットずらし量設定部８７４に測定値を入力する（図６のステップＳ８）。
【００８３】
このとき、画像補正装置２０２＿５の内部では、調整パラメータ群Ｈが更新されるとともに、補正量取得部６３０で測定値（位置補正量）が取得され、位置補正量が画像寸法補正部６４０に送られる。
【００８４】
以上で説明した、図６のステップＳ１からステップＳ８の作業に基づいて行われる一連の処理は、画像のサイズ補正量と位置補正量を設定するための処理であり、図５に示す両面画像７３０を作成するための本処理とは異なる。
【００８５】
ここで、オペレータは、図示しない画像出力ボタンを選択することによって、両面画像の出力を指示する（図６のステップＳ９）。
【００８６】
このとき、画像補正装置２０２＿５の内部では、図２に示すワークステーション１０１，１０２，１０３から入力されて、色変換処理、トラップ処理、および文字の埋め込みなどが施された、用紙の表面と裏面にそれぞれ出力される画像を表わす表用データと裏用データが、画像寸法補正部６４０に送られてくる。画像寸法補正部６４０は、裏用データに、裏用データが表わす裏用画像の大きさを補正量取得部６３０で取得されたサイズ補正量に基づいて補正する画像補正処理と、裏用画像を書き出す位置を位置補正量に基づいて補正する位置補正処理を施す。表用データ、および補正後の裏用データは、エラーチェック装置２０２＿６で各種エラーチェックがなされた後、ＲＩＰ２０３に送られる。
【００８７】
ＲＩＰ２０３では、送られてきた表用データおよび補正後の裏用データにラスタライズ処理が施され、表用ラスタデータおよび裏用ラスタデータが生成される。この表用ラスタデータおよび裏用ラスタデータはプリンタ３００に送られ、プリンタ３００では、表用ラスタデータが表わす表用画像が用紙の表面に、裏用ラスタデータが表わす裏用画像が用紙の裏面に出力されて、両面画像７３０が生成される。この両面画像７３０は、プリンタ３００における画像の出力特性（加熱や加圧による用紙の変形等）が考慮されて、裏面には、寸法および書き出し位置が補正された裏用画像が出力されている。このため、例えば、縁取りが施された両面印刷の名刺を作成する場合に、表面画像と裏面画像の大きさおよび書き出し位置がそれぞれぴったりと合った名刺を作成することができ、表面画像に合わせて用紙を断裁したときに、裏面画像の縁が欠けてしまうなどという不具合を抑えることができる。
【００８８】
以上説明したように、パターン画像を２回重ねて出力することによって重畳画像を作成し、その重畳画像に生じたモアレ縞の本数をサイズ補正量に換算することにより、特別な測定器を用いずに、容易に画像のサイズ補正量および寸法ずれ量を取得することができる。
【００８９】
以上で、本発明の第１実施形態の説明を終了し、本発明の第２実施形態の説明を行う。重複を避けるため、以下では、第１実施形態との相違点に注目して説明する。
【００９０】
第２実施形態において、オペレータによる作業や画像補正装置の構成は、図６に示すオペレータによる作業や、図５に示す画像補正装置２０２＿５の構成と同様である。この第２実施形態の画像補正装置は、パターン画像保存部で保存されているパターンデータが第１実施形態の画像補正装置２０２＿５とは異なる。
【００９１】
第２実施形態のパターン画像保存部には、図５に示す第１実施形態のパターン画像保存部６１０とは異なり、所定の間隔で繰り返される第１の繰り返しパターンを含む第１パターン画像を表わす第１パターンデータに加えて、第１の繰り返しパターンの間隔を所定倍率で拡大した間隔で繰り返される第２の繰り返しパターンを含む第２パターン画像を表わす第２パターンデータも保存されている。ここで、本実施形態においては、この第１パターンデータは黒のトナーで形成される第１パターン画像を表わしており、第２パターンデータはマゼンタのトナーで形成される第２パターン画像を表わしている。
【００９２】
また、第１パターン画像には、第２パターン画像中の繰り返しパターンの間隔が第１実施形態とは異なることに応じて更新された新しい換算表も含まれている。例えば、本実施形態においては、モアレ本数は、
サイズ補正量＝−１×[モアレ本数×第１の繰り返しパターンの間隔−（第２の繰り返しパターンの拡大率−１）×第１の繰り返しパターン長]／第１の繰り返しパターン長  …式（２）
の式で算出されるサイズ補正量に換算される。
【００９３】
続いて、第１実施形態の説明で使用した図６を、本実施形態の説明にも使用して、本実施形態おける用紙の両面に画像を出力する一連の処理について説明する。
【００９４】
図６に示すフローチャートのステップＳ１において、オペレータは、第１実施形態と同様に、各種パラーメータを設定する（図６のステップＳ１）。
【００９５】
続いて、ステップＳ２において、オペレータが、図示しない第１パターン画像出力ボタンをマウス２１７等で選択して、第１パターン画像の出力を指示する（図６のステップＳ２）と、パターン画像出力部は、パターン画像保存部に保存されている第１パターンデータを、エラーチェック装置２０２＿６に出力する。第１パターンデータは、エラーチェックが施された後、ＲＩＰ２０３でラスタデータに変換され、プリンタ３００によって、黒のトナーで、第１パターンデータが表わす第１パターン画像が用紙上に形成される。
【００９６】
さらに、オペレータが第１パターン画像が出力された用紙をプリンタ３００にセットしなおし、図示しない第２パターン画像出力ボタンを選択して、第２パターン画像の出力を指示する（図６のステップＳ３）と、パターン画像出力部からプリンタ３００に向けて第２パターンデータが出力されて、プリンタ３００によって、マゼンタのトナーで、第２パターンデータが表わす第２パターン画像が第１パターン画像に重ねて形成される。
【００９７】
本実施形態においては、第１パターン画像と第２パターン画像それぞれに含まれる繰り返しパターンの間隔に予めずれが加えられており、用紙上にそれぞれが出力されて形成された重畳画像には、用紙の変形によって生じる繰り返しパターンの間隔のずれに、予め加えられていた繰り返しパターンの間隔のずれが加えられたずれ量によってモアレが生じる。したがって、本実施形態によって生成される重畳画像には、第１実施形態によって生成される重畳画像と比べて、多くのモアレ縞が生じており、モアレ縞の本数を容易に数えることができる。また、本実施形態のパターン重畳画像においては、第１パターン画像は黒で形成され、第２パターンはマゼンタで形成される。したがって、それぞれのパターン画像の繰り返しパターンだけでなく色味も干渉し合うため、モアレを明確に識別することができる。
【００９８】
このようにして形成されたパターン重畳画像に生じたモアレ本数を数え（図６のステップＳ４）、オペレータは、そのモアレ本数をサイズ補正量に換算して、サイズ補正量を入力する（図６のステップＳ５）。
【００９９】
以下、第１実施形態と同様に、取得されたサイズ補正量に従って補正処理が施されたチャートデータが出力され（図６のステップＳ６）、チャート画像を使って書き出し位置のずれが測定され（図６のステップＳ７）、位置補正量が入力される（図６のステップＳ８）。さらに、このようにして取得されたサイズ補正量に従って裏用画像の大きさが補正され、位置補正量に従って裏用画像の書き出し位置が補正された両面画像が作成される。
【０１００】
なお、上記説明では、モアレの本数を寸法ずれ量に換算する換算表を使って、オペレータが換算した寸法ずれ量を取得する寸法ずれ取得部を備えた画像補正装置について説明したが、本発明のずれ量取得装置は、モアレの本数を取得してそのモアレの本数を寸法ずれ量に換算する換算部を内部に備え、その換算部で換算された寸法ずれ量を寸法ずれ取得部で取得するものであってもよい。
【０１０１】
また、上記説明では、用紙の表面に出力される予定の画像に合わせて、用紙の裏面に出力される予定の画像の寸法ずれを補正する画像寸法補正部について説明したが、本発明にいう画像寸法補正部は、用紙の表面に出力される予定の画像と用紙の裏面に出力される予定の画像の寸法ずれを抑えるように、表面および裏面に出力される予定の画像の両方を補正するものであってもよい。
【０１０２】
また、上記説明では、本発明にいうずれ量取得部や画像寸法補正部などという要素を同一のずれ量取得装置やずれ量取得プログラム内に備える例について説明したが、これらの各要素は別々の装置やプログラム内に備えるものであってもよく、例えば、パーソナルコンピュータに備えられたずれ量取得部で取得された寸法ずれ量を、ユーザがプリンタに入力し、プリンタに備えられた画像寸法補正部で画像の寸法ずれが補正されるものであってもよい。
【図面の簡単な説明】
【０１０３】
【図１】本発明の一実施形態が適用された画像補正システムの全体構成図である。
【図２】図１に示す画像補正システムにおけるデータの流れを示す図である。
【図３】情報処理装置のハードウェア構成図である。
【図４】本発明のずれ量取得プログラムの一実施形態が記憶されたＣＤ−ＲＯＭを示す概念図である。
【図５】本発明のずれ量取得装置の一実施形態である画像補正装置の機能ブロック図である。
【図６】オペレータが行う一連の作業手順を示すフローチャートである。
【図７】図１に示す情報処理装置の表示画面に表示された設定画面を示す図である。
【図８】用紙上に出力されたパターン画像を示す図である。
【図９（ａ）】両面チャート画像の表面に出力されたチャート画像を示す図である。
【図９（ｂ）】図９（Ａ）の点線で囲まれた部分を拡大した図である。
【図１０】両面チャート画像の裏面に出力された補正後チャート画像のうち、図９（Ｂ）の書き出し部分に対応する部分を示す図である。
【符号の説明】
【０１０４】
１０１，１０２，１０３    編集用ワークステーション
２００    情報処理装置
２０１    入力装置
２０２    ＰＤＦ加工装置
２０２＿１    ＰＳ／ＰＤＦ変換装置
２０２＿２    ＣＭＳ処理装置
２０２＿３    トラップ処理装置
２０２＿４    フォント埋込装置
２０２＿５    画像補正装置
２０２＿６    エラーチェック装置
２０３    ＲＩＰ
２０４    出力装置
２１１    ＣＰＵ
２１２    主メモリ
２１３    ハードディスク装置
２１４    画像表示装置
２１５    入力インタフェース
２１６    キーボード
２１７    マウス２１７
２１８    ＦＤドライブ
２１９    ＣＤ−ＲＯＭドライブ
２２０    出力インタフェース
２２１    バス
３００    プリンタ
４００    フレキシブルディスク
４１０    ＣＤ−ＲＯＭ
５００    画像補正プログラム
５１０    パターン画像出力部
５２０    補正量取得部
５３０    画像寸法補正部
６１０    パターン画像保存部
６２０    パターン画像出力部
６３０    補正量取得部
６４０    画像寸法補正部
７１０    重畳画像
７１２    主走査パターン
７１３    副走査パターン
７２０    チャート画像
７３０    両面画像
８００    設定画面
８１０    コピー部数設定部
８２０    印刷パターン設定部
８３０    ページ方向設定部
８４０    印刷範囲設定部
８５０    印刷色版設定部
８６０    用紙設定部
８７０    印刷モード設定部
８７１    印刷対象設定部
８７２    裏面倍率／位置補正ボタン
８７３    ポップアップ画面
８７４    オフセットずらし量設定部
８７５    サイズ補正量設定部
８８１    ＯＫボタン
８８２    キャンセルボタン
【図１】
2005074673.tif 000003
【図２】
2005074673.tif 000004
【図３】
2005074673.tif 000005
【図４】
2005074673.tif 000006
【図５】
2005074673.tif 000007
【図６】
2005074673.tif 000008
【図７】
2005074673.tif 000009
【図８】
2005074673.tif 000010
【図９（ａ）】
2005074673.tif 000011
【図９（ｂ）】
2005074673.tif 000012
【図１０】
2005074673.tif 000013